(57)【要約】本発明は、手を使わずに通話を可能とする携帯電話機に関するもので、特に耳に装着可能とした携帯電話機に関する。本発明の携帯電話機は、携帯電話機本体１に取付けられるとともに耳３の穴に挿入して携帯電話機本体１を保持可能な保持部材２を備え、この保持部材２は携帯電話機本体１に収納可能であるとともに、保持部材２を使用時には携帯電話機本体１から突出可能に構成してなる。上記携帯電話機によれば、携帯電話機本体１に収納されている保持部材２を携帯電話機本体１から突出させて耳に挿入するようにしたので、折り畳みタイプの携帯電話機にも適用可能であり、受電した際に携帯電話機を容易に耳に装着することができ、携帯電話機を耳に保持してハンドフリー通話を行えるようになる。
2003084193.tif 000002
【特許請求の範囲】
【請求項１】
携帯電話機本体に取付けられるとともに耳の穴に挿入して携帯電話機本体を保持可能なアダプタを備え、このアダプタは携帯電話機本体に収納されるとともに、アダプタを使用時には携帯電話機本体から突出可能に構成してなる携帯電話機。
【請求項２】
請求の範囲１記載の携帯電話機において、アダプタの端部が携帯電話機本体の背面側に延びて露出しており、このアダプタの端部を押圧することでアダプタを前方に突出させるように構成したことを特徴とする携帯電話機。
【請求項３】
請求の範囲１または２記載の携帯電話機において、アダプタは、携帯電話機本体に弾性部材で付勢されて収納されるとともに、このアダプタを携帯電話機本体の背面側から押圧することで弾性部材を圧縮して前方に突出させ所定位置で停止するように構成したことを特徴とする携帯電話機。
【請求項４】
請求の範囲１記載の携帯電話機において、アダプタは、携帯電話機本体に設けられた支持軸で回動可能に支持されて収納され、アダプタを前方に回動させて突出させるように構成したことを特徴とする携帯電話機。
【請求項５】
請求の範囲１〜４のいずれか記載の携帯電話機において、アダプタは携帯電話機本体のスピーカーからの音声を導く音声取出穴を備えていることを特徴とする携帯電話機。
【請求項６】
請求の範囲１〜５のいずれか記載の携帯電話機において、アダプタは携帯電話機本体の正面の中心線上に取付けられることを特徴とする携帯電話機。
【請求項７】
請求の範囲１〜５のいずれか記載の携帯電話機において、アダプタは携帯電話機本体の正面の中心線に対し取付ける耳の前方側にずれて取付けられることを特徴とする携帯電話機。
【請求項８】
請求の範囲１〜７のいずれか記載の携帯電話機において、アダプタは耳の穴に挿入する挿入部を備え、挿入部は外耳道挿入部と外耳保持部とからなることを特徴とする携帯電話機。
【請求項９】
請求の範囲８記載の携帯電話機において、アダプタは、挿入部に結合し携帯電話機本体に支持される軸部を備えることを特徴とする携帯電話機。
【請求項１０】
請求の範囲８または９記載の携帯電話機において、挿入部は球体からなることを特徴とする携帯電話機。
【請求項１１】
請求の範囲８または９記載の携帯電話機において、挿入部は楕円体もしくは楕円体の一部を変形させた変形楕円体からなることを特徴とする携帯電話機。
【請求項１２】
請求の範囲１０または１１記載の携帯電話機において、挿入部は２つの球体、または２つの楕円体、または２つの変形楕円体からなることを特徴とする携帯電話機。
【請求項１３】
携帯電話機本体に取付可能で耳の穴に挿入して携帯電話機本体を保持可能なアダプタを携帯電話機本体と別個に備えるとともに、このアダプタを携帯電話機本体に着脱自在に取付ける係合部を携帯電話機本体に備え、アダプタは外耳道挿入部と外耳保持部とからなり、アダプタを係合部に係合させて使用することを特徴とする携帯電話機。
【請求項１４】
請求の範囲１３記載の携帯電話機において、外耳道挿入部及び外耳保持部は球体からなることを特徴とする携帯電話機。
【請求項１５】
請求の範囲１３記載の携帯電話機において、外耳道挿入部及び外耳保持部は楕円体もしくは楕円体の一部を変形させた変形楕円体からなることを特徴とする携帯電話機。
【請求項１６】
請求の範囲１３記載の携帯電話機において、外耳道挿入部及び外耳保持部は２つの球体、または２つの楕円体、または２つの変形楕円体からなることを特徴とする携帯電話機。
【請求項１７】
携帯電話機本体の音声出力穴に一端が取付けられ内部に音声の空気伝達を可能にする通路を有するコードと、このコードの他端に取付けられ音声取出穴を有する耳穴挿入部を備えてなる携帯電話機。
【請求項１８】
携帯電話機本体に取付けられるとともに耳の穴に挿入して携帯電話機本体を保持可能なアダプタであって、このアダプタは携帯電話機本体に収納されるとともに、アダプタを使用時には携帯電話機本体から突出可能に構成してなる携帯電話機のアダプタ。
【請求項１９】
請求の範囲１８記載の携帯電話機のアダプタにおいて、アダプタは耳の穴に挿入する挿入部を備え、挿入部は外耳道挿入部と外耳保持部とからなることを特徴とする携帯電話機のアダプタ。
【請求項２０】
請求の範囲１９記載の携帯電話機のアダプタにおいて、アダプタは挿入部に結合し携帯電話機本体に支持される軸部を備えることを特徴とする携帯電話機のアダプタ。
【請求項２１】
請求の範囲１９または２０記載の携帯電話機のアダプタにおいて、アダプタの挿入部は球体からなることを特徴とする携帯電話機のアダプタ。
【請求項２２】
請求の範囲１９または２０記載の携帯電話機のアダプタにおいて、アダプタの挿入部は楕円体もしくは楕円体の一部を変形させた変形楕円体からなることを特徴とする携帯電話機のアダプタ。
【請求項２３】
請求の範囲１９または２０記載の携帯電話機のアダプタにおいて、アダプタの挿入部は２つの球体、または２つの楕円体、または２つの変形楕円体からなることを特徴とする携帯電話機。
【発明の詳細な説明】
技術分野
本発明は、手を使わずに通話を可能とする携帯電話機に関するもので、特に耳に装着可能とした携帯電話機に関する。
背景技術
近年、携帯電話機は急速に普及し、ビジネス、日常生活などに不可欠な道具となっている。その用途は電話だけにとどまらず、インターネットを利用した各種サービスなど、今後も各種用途に拡大して利用されることが期待されている。
このように便利な携帯電話機であるが、通話中は片手が塞がってしまい、メモを取りたい場合は首を曲げて肩との間に挟むなど不自由な姿勢を強いられる。また自動車運転中の使用においては運転操作に支障を来して事故につながるという問題も指摘されている。
これらの対策として、実用新案登録第３０３７７４４号公報、特開２０００−１８８６３２号公報、特開平１０−３０４０３２号公報他、ハンドフリーに関する多数の携帯電話機の技術が開示されており、携帯電話機のハンドフリーへの要求が高くなっていることが分かる。
実用新案登録第３０３７７４４号公報に開示のものは、携帯電話機に耳掛けフックを取付け、スプリング力で耳掛けフックと携帯電話機本体の間に耳たぶに挟み込んで保持して使用するものであり、ハンドフリー通話を可能にしている。
また、特開２０００−１８８６３２号公報に開示のものは、一つの形態として、携帯電話機を着脱自在に把持するアームを設け、このアームに耳に掛ける吊具を取付けたものである。すなわち、既存の携帯電話機を改造することなくアームを介して吊具を取付けて耳に掛け、ハンドフリー通話を可能にしている。
また、特開２０００−１８８６３２号公報に開示の別の形態として、携帯電話機を着脱自在に把持するアームを設け、このアームに耳の穴に挿入する挿入体を取付けたものがある。また、アームには携帯電話機のスピーカーからの音を収音する収音部が設けられ、導音空路を介してその音をイヤホン形状の挿入体から出すことで耳の穴に音声を導き、挿入体を耳に入れて携帯電話機を保持し、ハンドフリー通話を可能にしている。
また、特開２０００−１８８６３２号公報に開示のさらに別の形態として、携帯電話機を面ファスナーや粘着テープ、止着バンドを介して前述の吊具または挿入体を取付け、吊具を耳に掛けるかまたは挿入体を耳に挿入し、ハンドフリー通話を可能にしているものもある。
特開平１０−３０４０３２号公報に開示のものは、コードを引き出してイヤホンを装着し、ハンドフリーとするタイプの携帯電話機である。
しかし、実用新案登録第３０３７７４４号公報に開示のもの、及び、特開２０００−１８８６３２号公報に開示のうち吊具を使用する形態のものは、耳の穴と携帯電話機の音声出力部との距離が手で保持する場合に比べ大きくなる傾向にあり、また、人によって耳の大きさの違いにより携帯電話機の音声出力部が耳の穴の位置に精度良く保持できず、音声が聞こえにくくなるという問題がある。なお、その対策として携帯電話機の音量を上げると周囲に音声が漏れ、周囲への迷惑などの問題を生じてしまう。
また、特開２０００−１８８６３２号公報に開示のうち挿入体を使用する形態のものは、アームや挿入体が携帯電話機の前側及び周囲に突出してしまい、最近の携帯電話機の主流を占める折り畳みタイプには折り畳んだ状態で取付けられないという問題がある。受電してから取付けようとしても、アームの取付が面倒であり、実用には適さない。また、非折り畳みタイプに適用する場合でも、アームや挿入体が携帯電話機から突出しているので携帯性が悪く、アームや挿入体が邪魔になる。さらに、挿入体がイヤホン形状となっているので、イヤホンよりは圧倒的に重量の大きな携帯電話機を耳の穴で支えきれず、落下させてしまう場合があるという問題がある。
また、特開平１０−３０４０３２号公報に開示のものでは、特に今後拡大が見込まれる動画による情報を得る場合には、長時間イヤホンを装着して使用する可能性が高く、イヤホンから発生する電磁波は使用者の体に好ましくない影響を与えるという問題がある。
本発明は、このような問題点を考慮してなされたもので、折り畳みタイプの携帯電話機にも適用可能で、受電した際に携帯電話機を容易に耳に装着でき、確実に保持可能な機構を備えた携帯電話機、及びそのアダプタを提供することを目的とする。
また、本発明は、電磁波を使わずにイヤホンタイプでハンドフリーを可能にする携帯電話機、及びそのアダプタを提供することを目的とする。
発明の開示
本発明の請求の範囲１記載の携帯電話機によれば、携帯電話機本体に収納されているアダプタを携帯電話機本体から突出させて耳に挿入し、携帯電話機を耳に保持してハンドフリー通話を行う。
さらに、本発明の請求の範囲２記載の携帯電話機によれば、携帯電話機本体の背面側からアダプタを押し出して使用可能とする。
また、本発明の請求の範囲３記載の携帯電話機によれば、アダプタに弾性部材の弾性力が作用し、アダプタはワンタッチで出し入れ可能になる。
また、本発明の請求の範囲４記載の携帯電話機によれば、支持軸で支持されたアダプタを回転させて突出させ使用可能とする。
また、本発明の請求の範囲５記載の携帯電話機によれば、携帯電話機の音声がアダプタの穴を介して聞こえることを可能にする。
また、本発明の請求の範囲６記載の携帯電話機によれば、アダプタは携帯電話機本体の中心でバランスよく取り付けられる。
また、本発明の請求の範囲７記載の携帯電話機によれば、アダプタを耳に装着すると携帯電話機本体がアダプタをずらして取付けた方向に傾き、通話口が口に近づくようになる。
また、本発明の請求の範囲８記載の携帯電話機によれば、外耳道挿入部と外耳保持部とが外耳道及び耳の対珠に挿入されて、携帯電話機本体が保持される。
また、本発明の請求の範囲９記載の携帯電話機によれば、アダプタの軸部で携帯電話機本体とアダプタとの距離が確保される。
また、本発明の請求の範囲１０記載の携帯電話機によれば、球体からなる外耳道挿入部と外耳保持部とが外耳道及び耳の対珠に挿入される。
また、本発明の請求の範囲１１記載の携帯電話機によれば、楕円体もしくは変形楕円体からなる外耳道挿入部と外耳保持部とが外耳道及び耳の対珠に挿入される。
また、本発明の請求の範囲１２記載の携帯電話機によれば、２つの球体もしくは２つの楕円体もしくは２つの変形楕円体からなる外耳道挿入部と外耳保持部とが外耳道及び耳の対珠に挿入される。
また、本発明の請求の範囲１３記載の携帯電話機によれば、アダプタを携帯電話機本体の係合部に取付けて耳に挿入することで携帯電話機が保持される。
また、本発明の請求の範囲１４記載の携帯電話機によれば、球体からなる外耳道挿入部と外耳保持部とが携帯電話機本体の係合部に取付けられ、外耳道及び耳の対珠に挿入される。
また、本発明の請求の範囲１５記載の携帯電話機によれば、楕円体もしくは変形楕円体からなる外耳道挿入部と外耳保持部とが携帯電話機本体の係合部に取付けられ、外耳道及び耳の対珠に挿入される。
また、本発明の請求の範囲１６記載の携帯電話機によれば、２つの球体もしくは２つの楕円体もしくは２つの変形楕円体からなる外耳道挿入部と外耳保持部とが携帯電話機本体の係合部に取付けられ、外耳道及び耳の対珠に挿入される。
また、本発明の請求の範囲１７記載の携帯電話機によれば、携帯電話機の音声が空気通路を有するコードで伝達され、コードの端部を耳に装着して音声を聞くことを可能にする。
また、本発明の請求の範囲１８記載の携帯電話機によれば、携帯電話機本体に収納されているアダプタは携帯電話機本体から突出させて耳に挿入され、携帯電話機を耳に保持してハンドフリー通話を可能にする。
また、本発明の請求の範囲１９記載の携帯電話機によれば、アダプタの外耳道挿入部と外耳保持部とが外耳道及び耳の対珠に挿入されて、携帯電話機本体が保持される。
また、本発明の請求の範囲２０記載の携帯電話機によれば、アダプタの軸部で携帯電話機本体とアダプタとの距離が確保される。
また、本発明の請求の範囲２１記載の携帯電話機によれば、球体からなるアダプタの外耳道挿入部と外耳保持部とが外耳道及び耳の対珠に挿入される。
また、本発明の請求の範囲２２記載の携帯電話機によれば、楕円体もしくは変形楕円体からなるアダプタの外耳道挿入部と外耳保持部とが外耳道及び耳の対珠に挿入される。
また、本発明の請求の範囲２３記載の携帯電話機によれば、２つの球体もしくは２つの楕円体もしくは２つの変形楕円体からなるアダプタの外耳道挿入部と外耳保持部とが外耳道及び耳の対珠に挿入される。
また、本発明の他の目的、特長を添付の図面に基づく以下の詳細な説明で明らかにする。
発明を実施するための最良の形態
第１図〜第６図は、本発明の携帯電話機及びそのアダプタを実施するための最良の形態の第１例を示すものである。
この第１例では、受電した際に、携帯電話機に取付けられるアダプタを突出させ、耳の穴に挿入して携帯電話機を保持し、ハンドフリーで通話可能な携帯電話機を示している。
この実施の形態の携帯電話機１００は、携帯電話機本体１と、携帯電話機本体１に取付けられるとともに耳３の穴に挿入して携帯電話機本体１を保持可能なアダプタ２とから主に構成されている。
携帯電話機本体１は、折り畳みタイプとしており、表示部などが設けられている上半部１１と、操作キーが設けられている下半部１２と、上半部１１と下半部１２とを折り畳み自在に連結する連結部１３とからなっている。なお、携帯電話機本体１は折り畳みタイプに限定されるものではなく、非折り畳みタイプでも構わない。また、ＰＨＳでも構わない。
この携帯電話機本体１には、その前面１ａ側に、アダプタ２を携帯電話機本体１の内部に収納する収納穴１４が設けられている。収納穴１４は、アダプタ２の形状に合わせて、アダプタ２よりも僅かに大きな穴とするのが好ましい。この形態では、アダプタ２を２つの球体とそれを結ぶ軸で構成しているので、この形状に合わせて、収納穴１４は２つの丸穴１４ａとこれらの丸穴１４ａを連結する連結穴１４ｂとから構成されている。そして、携帯電話機本体１を折り畳みが可能なように、収納穴１４はアダプタ２を完全に収容可能な深さが与えられている。
なお、収納穴１４は、携帯電話機本体１の正面の中心線上にあっても構わないが、中心線Ｌ２が携帯電話機本体１の正面の中心線Ｌ１に対し、距離Ｓだけずらして設けるのとさらに好ましい。これにより、携帯電話機本体１のアダプタ２による支持位置が携帯電話機本体１の中心線Ｌ１からずれ、ずれた方向に（ただし、正面の中心線Ｌ１に対し取付ける耳の前方側にずれて取付ける）携帯電話機本体１が傾き、通話口に口が近づくことを可能にしている。例えば、第３図のように正面から見て右にずらした場合は右に傾くので、左耳に携帯電話機１００を挿入すると通話口に口が近づくようになる。
また、携帯電話機本体１には、アダプタ２の軸部を支持する軸受部１５が設けられている。軸受部１５はアダプタ２の軸部が指先の力で容易にスライド可能であるとともに、アダプタ２の軸部が回転しないように保持可能な嵌合を有するものとするのが好ましい。または、アダプタ２の軸部２１が軸受部１５に対し回転しないように図示しない回転規制部材を設けてもよい。
さらに、携帯電話機本体１には、軸受部１５の後方の背面側に、アダプタ押出溝１６を備えている。このアダプタ押出溝１６は、人差し指などの指先が挿入可能な大きさの円形の穴とすることが望ましい。
アダプタ２は、耳３の穴に挿入して痛みを伴わずに携帯電話機１００を確実に保持可能な形状にするのが望ましい。この形態におけるアダプタ２は、携帯電話機本体１の軸受部１５に支持される軸部２１と、軸部２１に結合し耳３の穴に挿入する挿入部２２とからなり、挿入部２２は外耳道挿入部２２ａと外耳保持部２２ｂとからなっている。
したがって、アダプタ２は、未使用時には携帯電話機本体１に収納され、使用時には携帯電話機本体１から突出可能に構成されて、アダプタ２の軸部２１の端部２１ａが携帯電話機本体１の背面１ｂ側に延びて露出しており、このアダプタ２の端部２１ａを押圧することでアダプタ２を前方に突出させるように構成されている。なお、アダプタ２の端部２１ａにはストッパー２１ｄが設けられて抜け止めとなっている。
ここで、人の耳３の形状について説明すると、図６に示すように、顔の外部に出ている外耳は、耳たぶ３１を下部に有する耳輪３２で周囲が囲まれ、その内部は鼓膜につながる外耳道３３と、外耳道３３を周囲から覆うように突出する耳珠３４及び対珠３５などから構成されている。通常、イヤホンを耳に装着する場合は、耳珠３４と対珠３５の内側の空間に円盤形のイヤホンを装着している。
本発明による形態では、挿入部２２の外耳道挿入部２２ａ及び外耳保持部２２ｂを球体で構成し、外耳道挿入部２２ａを外耳道３３に挿入するとともに、外耳保持部２２ｂを対珠３５の内側の空間に挿入可能な構成としている。なお、外耳道挿入部２２ａと外耳保持部２２ｂは所定の距離を確保するために連結軸２２ｃで連結し、軸部２１と連結軸２２ｃとを固定している。
また、アダプタ２は、携帯電話機本体１のスピーカーからの音声を導く音声取出穴２７を備えており、アダプタ２の軸部２１に通路２３ａ、連結軸２２ｃに通路２３ｂ、及び、外耳道挿入部２２ａに通路２３ｃ、２３ｄが設けられている。通路２３ｄは、外耳道挿入部２２ａが外耳道３３に挿入された際に、音声が鼓膜の方向に達するように通路２３ｃに対して向きが変更されている。
また、携帯電話機本体１のスピーカー１７からの音声が軸受部１５に達するように携帯電話機本体１内部に通路２３ｅが設けられ、軸部２１の通路２３ａは軸方向に連続するスリット形状となっているので、アダプタ２が前後にスライドしても通路２３ｅと軸部２１の通路２３ａは常時連通している。
上記構成による携帯電話機１００の作用を以下に説明する。
携帯電話機１００が受電すると、所有者は折り畳まれた携帯電話機１００を開き、人差し指などを携帯電話機本体１の背面１ｂのアダプタ押出溝１６に押し込んでアダプタ２の端部２１ａを押圧し、アダプタ２を前方に突出させる。そして、球体からなる外耳道挿入部２２ａを先に外耳道３３に挿入するとともに、外耳保持部２２ｂを対珠３５の内側の空間に挿入する。これにより、外耳道３３に挿入された外耳道挿入部２２ａが対珠３５の内側の壁で押されるので、特に下向きの荷重に対して強く保持することが可能となり、携帯電話機程度の重さであれば容易に保持可能となる。
また、耳珠３４と対珠３５の位置関係は、耳珠３４が対珠３５の斜め上方に位置し、携帯電話機本体１に対し外耳道挿入部２２ａと外耳保持部２２ｂが水平に設けられているために、携帯電話機１００はその通話口が自然に口の方に向くことになる。
さらに、アダプタ２を携帯電話機本体１の正面の中心線Ｌ１に対し取付ける耳の前方側にずれて取付けておけば、より通話口を口の方に向けることが可能になる。
なお、外耳道挿入部２２ａ及び外耳保持部２２ｂが球体からなっているので、長時間の装着でも痛みを感じることがない。
また、図示しないが、連結軸２２ｃに対し外耳道挿入部２２ａ及び外耳保持部２２ｂをねじ込むなどにより、外耳道挿入部２２ａと外耳保持部２２ｂとの距離を調節可能にしておけば、耳の大きさの個人差による装着具合をより良好なものとすることができる。また、Ｓサイズ、Ｍサイズ、Ｌサイズのように、大きさの違うものを用意して選択できるようにしておいても構わない。
そして、携帯電話機１００の音声は、携帯電話機本体１のスピーカー１７から通路２３ｅを通り、アダプタ２の軸部２１の通路２３ａ、通路２３ｂ、外耳道挿入部２２ａの通路２３ｃ、２３ｄを経て鼓膜に直接達するので、従来の耳掛け式に比べ大幅に良好な音声を得ることが可能となる。
通話が終了すれば、携帯電話機１００のアダプタ２を耳３から外し（その際、装着するのとは逆に、先に外耳保持部２２ｂを外した後、外耳道挿入部２２ａを外すと容易に外れる）、アダプタ２を収納穴１４に押し込んで携帯電話機１００を折り畳むことができる。したがって、ハンドフリー通話が受電後に操作しても容易に行えることに加え、携帯電話機１００の外部に突出するものがないので、美観的にも問題はなく、携帯性にも優れている。
個人の好みになるが、挿入部２２（外耳道挿入部２２ａ及び外耳保持部２２ｂなど）を宝石、金、銀、プラチナ、琥珀、真珠、珊瑚、貝類、ガラス、陶器、プラスチック、硬質の木材などの装飾品で形成すれば、時計などのような高級装飾品にすることも可能で、商品価値を高めることが可能となる。なお、携帯電話機本体１を機種変更したり故障しても宝石などで形成した挿入部２２もしくは外耳道挿入部２２ａ、外耳保持部２２ｂのみを次の機種に付け替えて使用することができる。
この実施の形態によれば、携帯電話機本体１に収納されているアダプタ２を携帯電話機本体１から突出させて耳３に挿入するようにしたので、折り畳みタイプの携帯電話機にも適用可能であり、受電した際に携帯電話機１００を容易に耳３に装着することができ、携帯電話機を耳に保持してハンドフリー通話を行えるようになる。
また、携帯電話機本体１の背面側からアダプタ２を押し出して使用可能とするようにしたので、受電した際にアダプタ２を容易に突出させることができる。
第７Ａ図〜第７Ｃ図は、発明を実施するための最良の形態の第２例を示すものである。ここで、最良の形態の第１例と同じものについては同じ符号を付している。
この実施の形態の携帯電話機２００は、第１例に対し、アダプタ２の形状を変更し、携帯電話機本体１の厚さを薄くしたものである。
この形態におけるアダプタ２は、軸部２１がその途中にジョイント２４と、ジョイント２４の後方に補助軸部２５を備え、補助軸部２５が下方に折れ曲がるように構成している。
この形態では、携帯電話機２００を未使用時または手でもって使用する時には、アダプタ２の補助軸部２５が下方に折れ曲がった状態で、挿入部２２が収納穴１４に収納されている。そして、ハンドフリーでの使用時には、補助軸部２５を水平に持ち上げてその端部２１ａを押圧することでアダプタ２を前方に突出させることができる。その後の使用方法については、第１例に示したとおりである。
この実施の形態によれば、携帯電話機の実施の形態の第１例と同様の作用、効果が奏されることに加え、アダプタ２の取付部分における携帯電話機本体１の厚さを薄くすることができる。
第７Ｄ図〜第７Ｅ図は、発明を実施するための最良の形態の第３例を示すものである。ここで、最良の形態の第１例と同じものについては同じ符号を付している。
この実施の形態の携帯電話機２５０は、第１例に対し、アダプタ２を弾性部材で付勢し、ボールペンのようにワンタッチで突出を可能な構造（ノック機構）に変更したものである。
このアダプタ２には、アダプタ２を収納する方向に付勢し、軸部２１に装着される弾性部材２１ｂと、軸部２１の途中にボールペンのノック機構のように１度押し込んでストップし、そこから再度押し込むことでストッパーが解除するストップ部品２１ｃを備えている。なお、ストップ部品２１ｃは携帯電話機本体１の係止突起１ｃに係止される。
すなわち、アダプタ２は、携帯電話機本体１に弾性部材２１ｂで付勢されて収納されており、アダプタ２を携帯電話機本体１の背面側から押圧すると弾性部材２が圧縮され、アダプタ２が前方に突出し、ストップ部品２１ｃが係止突起１ｃに係止された位置で停止するように構成されている。
したがって、軸部２１の端部２１ｃを押圧すると弾性部材２１ｂが圧縮され、所定の位置まで達するとストップ部品２１ｃが係止突起１ｃに係止されて、アダプタ２はその位置で保持される。そして、その状態から再度軸部２１の端部２１ｃを押圧すると、ストップ部品２１ｃが係止突起１ｃから外れ、アダプタ２は収納位置に戻される。
この実施の形態によれば、携帯電話機の実施の形態の第１例と同様の作用、効果が奏されることに加え、アダプタ２をワンタッチで突出、収納することが可能となる。
第８Ａ図〜第８Ｈ図は、発明を実施するための最良の形態の第４例を示すものである。ここで、最良の形態の第１例と同じものについては同じ符号を付している。
この実施の形態の携帯電話機３００は、第１例に対し、アダプタ２の突出方法を変更したものである。
この形態の第８Ａ図〜第８Ｃ図におけるアダプタ２は、携帯電話機本体１に設けられた支持軸４で回動可能に支持され、未使用時は収納溝４１に収納されている。また、アダプタ２の軸部２６は支持軸４に固定されるとともに、２重構造として伸縮可能にすることが好ましい。
軸部２６から軸部２１を引き出し、アダプタ２を前方に回動させることでアダプタ２を突出させることができる。なお、支持軸４は回動させる力を解除すればその位置が保持されるように適度な回動抵抗を与えられ、突出して水平となる位置及び収納位置では確実に回動が止まるように図示しないストッパーが設けられることが好ましい。その後の使用方法については、第１例に示したとおりである。
なお、支持軸４には音声取出穴４２が設けられており、手に持って電話をする際は音声取出穴４２から直接聞くことができるとともに、ハンドフリーで使用する際は、アダプタ２を前方に回動させた際に軸部２１に設けた図示しない通路を通って挿入部２２の外耳道挿入部２２ａの音声取出穴４３から音声を取出し、鼓膜に響かせることが可能な構成としている。
この実施の形態によれば、携帯電話機の実施の形態の第１例と同様の作用、効果が奏されることに加え、携帯電話機本体１の取付部分における厚さを薄くすることができる。
なお、第８Ｄ図〜第８Ｆ図に示すように、挿入部２２を携帯電話機本体１の背面１ｂの溝１９に収納することもできる。これによれば、折り畳みタイプにも適用できることに加え、携帯電話機の長手方向の寸法を小さくできる。さらに、挿入部２２を宝石などで構成すればアクセサリーとして裏表面を飾ることができる。
さらに、第８Ｇ図〜第８Ｈ図に示すように、挿入部２２を携帯電話機本体１の前面１ａの溝１９に収納することもできる。これによれば、アダプタ２をより簡単に突出させることができる。
第９Ａ図〜第９Ｄ図は、発明を実施するための最良の形態の第５例を示すものである。ここで、最良の形態の第１例と同じものについては同じ符号を付している。
この実施の形態の携帯電話機４００は、第１例に対し、アダプタ２を着脱自在なタイプに変更し、携帯電話機本体１にアダプタ２を係合させるための係合部を備えたものである。
この形態におけるアダプタ２は、軸部２１の下方に取付部２８を備えている。取付部２８は、座部２８ａと挿入ピン２８ｂとからなっている。挿入部２２は第１例と同様であり、アダプタ２は、ストラップＴなどで携帯電話機本体１と結ばれているのが好ましい。
また、携帯電話機本体１には、係合部５が設けられ、係合部５には２つの取付溝５１と、取付溝５１の端部に取付溝５１の半径方向の幅よりも大きな２つの差込穴５２が設けられている。
携帯電話機４００は、未使用時にはアダプタ２は外された状態で、折り畳みタイプでは折り畳みに支障を来すことはない。そして、ハンドフリーでの使用時には、アダプタ２の挿入ピン２８ｂを蛍光灯の取付部のようにワンタッチで差込穴５２に差し込みながら回転させて取付溝５１に固定することができる。その後の使用方法については、第１例に示したとおりである。
この実施の形態によれば、携帯電話機の実施の形態の第１例と同様の作用、効果が奏されることに加え、アダプタ２の取付部分の構造がより簡単になる。
なお、非折り畳み式の携帯電話機のようにアダプタ２が外されている状態で使用される場合は、図示しないが音声取出用の小孔を有する保護カバーを付けておくと、外観上好ましいものとなる。
また、アダプタ２の取付部２８と係合部５の構造については、上記形態の他に、図示しないが、縦溝または横溝に嵌合させる方式、ねじを設けてねじ込む方式など、簡単に着脱自在な各種の結合方式を適用することができる。
第１０Ａ図〜第１０Ｃ図、第１１Ａ図〜第１１Ｂ図は、発明を実施するための最良の形態の第６例を示すものである。ここで、最良の形態の第１例と同じものについては同じ符号を付している。
この実施の形態の携帯電話機５００は、電磁波を使わないイヤホンタイプのものである。
携帯電話機５００には、ハンドフリーでの使用時に、携帯電話機本体１の音声取出穴１８に連結される音声取出コネクタ６１を備えたコード６が設けられている。音声取出穴１８は、携帯電話機を手で保持して使用する際の音声取出穴とすることが好ましいが、携帯電話機本体１の他の場所に別に設けても構わない。
音声取出コネクタ６１は、電気的なジャックではなく、コード６に音声を導くためのコネクタであればよく、ここでは、第１０Ｂ図、第１０Ｃ図に示すように、差込部６１ａとコネクタ本体部６１ｂとから構成し、通路６１ｃが貫通している。
コード６は、一端に音声取出コネクタ６１が取付けられ、内部に音声の空気伝達を可能にする通路６２を有しているフレキシブルなチューブが好ましい。このコード６の他端には、耳穴挿入部６３が取付けられている。
耳穴挿入部６３は、コード６の通路６２からつながる通路６３ａの出口に音声取出穴６３ａを備えている。
したがって、ハンドフリーでの使用時には、コード６を音声取出穴１８に連結し、耳穴挿入部６３を耳の穴に挿入することで、携帯電話機本体１を机上などにおいて通話はもちろん、今後拡大が見込まれる動画による情報を得ながら両手で携帯電話機の操作、メモの取得、別の資料を見て考えることなどを行うことが可能となる。
この実施の形態によれば、従来の電気コードを用いたイヤホンの場合のようにイヤホンから発生する電磁波を生じさせずにハンドフリーで携帯電話機を使用できるという効果がある。
また、従来の電気コードを用いたイヤホンでは電気コードによる電力の損失が特に長時間の通話では無視できないが、この形態ではこの電力の損失がないので、バッテリーの消耗を小さくできる。
なお、コード６は、第１１Ａ図に示すように、ジョイント６５を介して２又６４に分岐させて両耳に挿入する形態にもでき、これにより音声がより明確に耳に入るようにできる。
また、第１１Ｂ図に示すように、耳穴挿入部６３を携帯電話機の実施の形態の第１例と同様の挿入部２２とすることもできる。これにすれば、耳への装着がより確実となり、自動車レースなどにおけるドライバーへの通信などのように動きを伴う場合の装着でも問題ないものとなる。
また、第１１Ｃ図に示すように、上記第１例〜第４例に示したアダプタ２を取付けて、これに音声取出穴２９を取付け、コード６を接続することもできる。これにより、耳に挿入してハンドフリーとする使い方と、イヤホン的に利用する使い方の両方が可能となる。
また、第１１Ｄ図に示すように、ジョイント６５にマイク６６を付けることもできる。これにより、ハンドフリー通話もより簡単となる。
なお、各実施の形態では、アダプタ２の挿入部２２の外耳道挿入部２２ａ及び外耳保持部２２ｂを球体としたが、これに限定されるものではなく、例えば、第１２Ａ図に示すように、円盤形状７１とすることもできる。また、第１２Ｂ図のように、半楕円のような形状７２にもできる。また、第１２Ｄ図のように、２つの球体または卵型を直接連結（連結軸２２ｃを省略）したものでよい。さらには、第１２Ｅ図のように、外耳道挿入部２２ａ及び外耳保持部２２ｂを楕円形のような形の一体のものにしても構わない。第１２Ｆ図、第１２Ｇ図のように、左右非対称の楕円体やくびれ部２２ｃを有するように、変形の楕円体としてもよい。その他、人の耳の形状の個人差に合わせた各種形状を選択することができ、挿入部２２に各種形状の宝石などを使いやすくできる。
また、各実施の形態では、アダプタ２の軸部２１を外耳道挿入部２２ａ及び外耳保持部２２ｂの対称の位置に設けたが、これに限定されるものではなく、第１２ｃ図のように、中心線Ｋから外耳保持部２２ｂ側にずらすこともできる。これにより耳の構造の個人差によっては軸部２１と耳珠３４との干渉を少なくして、より装着性を高めることもできる。
産業上の利用可能性
以上のように、本発明の携帯電話機は、携帯電話機本体に収納されているアダプタを携帯電話機本体から突出させて耳に挿入するようにしたので、折り畳みタイプの携帯電話機にも適用可能であり、受電した際に携帯電話機を容易に耳に装着することができ、携帯電話機を耳に保持してハンドフリー通話を行えるようになる。
加えて、携帯電話機の音声がアダプタの穴を介して聞こえることを可能にしたので、容易な装着で良好な音声を得ることができる。
また、外耳道挿入部と外耳保持部とが外耳道及び耳の対珠に挿入されて、携帯電話機本体が保持されるようにしたので、ハンドフリーで確実に保持することができる。
さらに、携帯電話機の音声が空気通路を有するコードで伝達され、コードの端部を耳に装着して音声を聞くことを可能にしたので、電磁波を使わずにイヤホンタイプでハンドフリーを可能にする携帯電話機が提供される。
【図面の簡単な説明】
第１図は、本発明に係る携帯電話機の実施の形態の第１例を示し、使用状態を説明する斜視図である。
第２図は、本発明に係る携帯電話機の実施の形態の第１例を示す斜視図である。
第３図は、本発明に係る携帯電話機の実施の形態の第１例を示す図であり、第３Ａ図は平面断面図、第３Ｂ図は第３Ａ図のＸ−Ｘ線断面図、第３Ｃ図は第３Ｂ図の右側面図、第３Ｄ図は第３Ｂ図の左側面図である。
第４図は、本発明に係る携帯電話機の実施の形態の第１例の使用状態を示す図であり、第４Ａ図は平面断面図、第４Ｂ図は第４Ａ図のＹ−Ｙ線断面図である。
第５図は、本発明に係る携帯電話機の実施の形態の第１例を示す拡大図であり、第５Ａ図は平面断面図、第５Ｂ図は第５Ａ図のＺ−Ｚ線断面図である。
第６図は、耳の形状の説明図、及び、本発明に係る携帯電話機の実施の形態の第１例の適用を示す説明図である。
第７図は、本発明に係る携帯電話機の実施の形態の第２例を示す図であり、第７Ａ図は平面断面図、第７Ｂ図は第８Ａ図のＷ−Ｗ線断面図、第７Ｃ図は第７Ｂ図の左側面図である。また、第７Ｄ図、第７Ｅ図は本発明に係る携帯電話機の実施の形態の第３例を示す断面図である。
第８図は、本発明に係る携帯電話機の実施の形態の第４例を示す斜視図であり、第８Ａ図から第８Ｂ図を経て第８Ｃ図で使用する状態を説明する図である。また、第８Ｄ図〜第８Ｆ図はその変形例を示す説明図である。また、第８Ｇ図〜第８Ｈ図はさらにその変形例を示す説明図である。
第９図は、本発明に係る携帯電話機の実施の形態の第５例を示す構成図であり、第９Ａ図は初めの状態の正面図、第９Ｂ図は第９Ａ図の一部の右側面図、第９Ｃ図は第９Ａ図の左側面図、第９Ｄ図は取付状態の正面図である。
第１０図は、本発明に係る携帯電話機の実施の形態の第６例を示す構成図であり、第１０Ａ図は初めの状態の正面図、第１０Ｂ図は取付状態の左側面図、第１０Ｃ図は第１０Ｂ図の拡大断面図である。
第１１図は、本発明に係る携帯電話機の実施の形態の第５例を示す構成図であり、第１１Ａ図は初めの状態の正面図、第１１Ｂ図、第１１Ｃ図は第１１Ａ図の構成部品を変更した図である。
第１２図は、各図とも本発明に係る携帯電話機の実施の形態の他の実施例を示す構成図である。
【図１】
2003084193.tif 000003
【図２】
2003084193.tif 000004
【図３Ａ】
2003084193.tif 000005
【図３Ｂ】
2003084193.tif 000006
【図３Ｃ】
2003084193.tif 000007
【図３Ｄ】
2003084193.tif 000008
【図４Ａ】
2003084193.tif 000009
【図４Ｂ】
2003084193.tif 000010
【図５Ａ】
2003084193.tif 000011
【図５Ｂ】
2003084193.tif 000012
【図６】
2003084193.tif 000013
【図７Ａ】
2003084193.tif 000014
【図７Ｂ】
2003084193.tif 000015
【図７Ｃ】
2003084193.tif 000016
【図７Ｄ】
2003084193.tif 000017
【図７Ｅ】
2003084193.tif 000018
【図８Ａ】
2003084193.tif 000019
【図８Ｂ】
2003084193.tif 000020
【図８Ｃ】
2003084193.tif 000021
【図８Ｄ】
2003084193.tif 000022
【図８Ｅ】
2003084193.tif 000023
【図８Ｆ】
2003084193.tif 000024
【図８Ｇ】
2003084193.tif 000025
【図８Ｈ】
2003084193.tif 000026
【図９Ａ】
2003084193.tif 000027
【図９Ｂ】
2003084193.tif 000028
【図９Ｃ】
2003084193.tif 000029
【図９Ｄ】
2003084193.tif 000030
【図１０Ａ】
2003084193.tif 000031
【図１０Ｂ】
2003084193.tif 000032
【図１０Ｃ】
2003084193.tif 000033
【図１１Ａ】
2003084193.tif 000034
【図１１Ｂ】
2003084193.tif 000035
【図１１Ｃ】
2003084193.tif 000036
【図１１Ｄ】
2003084193.tif 000037
【図１２Ａ】
2003084193.tif 000038
【図１２Ｂ】
2003084193.tif 000039
【図１２Ｃ】
2003084193.tif 000040
【図１２Ｄ】
2003084193.tif 000041
【図１２Ｅ】
2003084193.tif 000042
【図１２Ｆ】
2003084193.tif 000043
【図１２Ｇ】
2003084193.tif 000044
【国際調査報告】
2003084193.tif 000045
2003084193.tif 000046